(57)【要約】【課題】  符号合わせ錠と、カードキー式錠もしくはシリンダ錠とを連動連結することにより、セキュリテイーの面での不安を解消し且つ完全なる防犯予防を可能とした符号合わせ錠装置を提供する。【解決手段】  ダイアル部材２を操作して任意の暗証番号を設定し、操作部３により施錠を行う符号合わせ錠装置１と共に、カードキーＣＫもしくはキーＫを差し込んでシリンダ錠１３の係合ピン１４の係止を解除してラッチ１５を回動可能として成る錠前装置を併置すると共に、操作部３とラッチ１５とを連繋部材４を介して連動可能に連結する。【選択図】          図２
2006118188.tif 000002
【特許請求の範囲】
【請求項１】
ダイアル部材を操作して任意の暗証番号を設定し、操作部により施錠を行う符号合わせ錠装置であって、当該符号合わせ錠装置と共に、カードキーを差込口に差し込んでシリンダ錠の係合ピンの係止を解除させてラッチを回動可能として成るカードキー式錠前装置を併置させ、前記操作部とラッチとを連繋部材を介して連動可能に連結したことを特徴とする符号合わせ錠装置。
【請求項２】
ダイアル部材を操作して任意の暗証番号を設定し、操作部により施錠を行う符号合わせ錠装置であって、当該符号合わせ錠装置と共に、キーを差込口に差し込んでシリンダ錠の係合ピンの係止を解除させてラッチを回動可能として成るシリンダ錠前装置を併置させ、前記操作部とラッチとを連繋部材を介して連動可能に連結したことを特徴とする符号合わせ錠装置。
【発明の詳細な説明】
【技術分野】
【０００１】
本発明は、公共施設や娯楽・スポーツ施設等の不特定多数の人が使用するロッカー等の錠前として使用される符号合わせ錠装置に関する。
【背景技術】
【０００２】
従来から、この種の符号合わせ錠装置としては、特許文献１に開示されているように、ダイアル部材を操作して任意の暗証番号を設定し、操作部により施錠を行った時に、設定した暗証番号が記憶部材に記憶された状態でダイアル部材の設定表示がすべてゼロに復帰し、解錠時には前記ダイアル部材により暗証番号を設定し、操作部で解錠操作をした際に前記ダイアル部材の表示がすべてゼロに復帰すると共に、前記暗証番号が記憶される従動記憶部材の記憶が解除される構成によるものがある。
【０００３】
また、特許文献２に開示されているように、ダイアル部が解錠時の予め決められている一種類の符号を表示しているとき、施錠部の作動を禁止し、少なくとも1つのダイアルが回動することにより施錠部の作動を可能とするゼロストッパー部と、記憶された解錠番号がダイアルに表示された時、施錠部の作動により施錠方向または解錠方向への往復摺動可能な第１のスライドバー部の解錠方向への摺動動作を可能とするメモリー部とを備えた構成によるものがある。
【特許文献１】特許２８２１３６８号公報
【特許文献２】特公平７−１００９８４号公報
【発明の開示】
【発明が解決しようとする課題】
【０００４】
しかしながら、従来における符号合わせ錠装置の場合、例えば４桁の符号・文字合わせにより全てが機械的に施錠または解錠するため、シンプルで故障が少なく安価である等の利点がある反面、例えば４桁の数字を全てダイアルすると必ず容易に解錠されてしまうため、セキュリテイーの面で不安が残るという問題点を有している。
【０００５】
そこで、本発明は叙上のような従来の技術が有する問題点を解消するもので、符号合わせ錠と、カードキー式錠もしくはシリンダ錠とを連動連結することにより、セキュリテイーの面での不安を解消し且つ完全なる防犯予防を可能とした符号合わせ錠装置を提供することを目的とする。
【課題を解決するための手段】
【０００６】
上述した課題を解決するため、本発明にあっては、ダイアル部材を操作して任意の暗証番号を設定し、操作部により施錠を行う符号合わせ錠装置であって、当該符号合わせ錠装置と共に、カードキーを差し込んでシリンダ錠の係合ピンの係止を解除させてラッチを回動可能として成るカードキー式錠前装置を併置させ、前記操作部とラッチとを連繋部材を介して連動可能に連結したものである。
【０００７】
さらに、ダイアル部材を操作して任意の暗証番号を設定し、操作部により施錠を行う符号合わせ錠装置であって、当該符号合わせ錠装置と共に、キーを差込口に差し込んでシリンダ錠の係合ピンの係止を解除させてラッチを回動可能として成るシリンダ錠前装置を併置させ、前記操作部とラッチとを連繋部材を介して連動可能に連結したものとすることができる。
【０００８】
以上のように構成された本発明に係る符号合わせ錠装置にあって、符号をダイアルするだけでなく、併せてカードキー、あるいはシリンダ錠のキーを挿入することにより施錠を可能にさせる。
すなわち、物品をロッカー内へ収容し、閉扉後、所望の符号、例えば４桁の数字をダイアルした後に、符号合わせ錠装置の操作部をオープン位置からロック側に廻そうとしてもしても、連繋部材を介してのラッチの回動が阻止されているため、施錠が不能な状態となる。
【０００９】
このとき、カードキー式錠前装置の差込口にカードキーを挿入してシリンダ錠の係合ピンの係止を解除させてから、シリンダ錠に挿入されたキーを回動可能にすることによってラッチを回動させる。
尚、シリンダ錠へのキーの挿入によってラッチは自由となっているため、符号合わせ錠装置側の操作部を廻すこともでき、これによって施錠することも可能である。
【００１０】
解錠のときは、ダイアルの符号を元に戻し、シリンダ錠にキーを差し込み回動することでラッチは引っ込み方向へ回動し、同時にカードの取り出しが可能となる。
このとき符号合わせ錠装置は、符号をダイアルするとそのまま表面に残らず直ちに全てがゼロに表示され、これによって防犯予防を可能にしている。
【発明の効果】
【００１１】
本発明によれば、符号合わせ錠と、カードキー式錠もしくはシリンダ錠とを連動連結することにより、セキュリテイーの面での不安を解消でき且つ完全なる防犯予防が可能となる。
【００１２】
すなわち、これは本発明が、ダイアル部材を操作して任意の暗証番号を設定し、操作部により施錠を行う符号合わせ錠装置であって、当該符号合わせ錠装置と共に、カードキーを差込口に差し込んでシリンダ錠の係合ピンの係止を解除させてラッチを回動可能として成るカードキー式錠前装置を併置させ、前記操作部とラッチとを連繋部材を介して連動可能に連結したからであり、これにより、符号合わせ錠装置に符号をダイアルするだけでなく、併せてカードキー式錠前装置のカードキー、およびシリンダ錠のキーを挿入することにより施錠が可能となるので、完全なる防犯予防が可能となる。
【００１３】
一方、ダイアル部材を操作して任意の暗証番号を設定し、操作部により施錠を行う符号合わせ錠装置であって、当該符号合わせ錠装置と共に、キーを差込口に差し込んでシリンダ錠の係合ピンの係止を解除させてラッチを回動可能として成るシリンダ錠前装置を併置させ、前記操作部とラッチとを連繋部材を介して連動可能に連結したので、符号をダイアルするだけでなく、併せてシリンダ錠のキーを挿入することにより施錠が可能となるので、完全なる防犯予防が可能となる。
【発明を実施するための最良の形態】
【００１４】
以下、図面を参照して本発明を実施するための最良の一形態を説明すると、図において示される符号１は、不特定多数の人が使用するロッカー等の扉体Ｐの錠前として使用され、ダイアル部材２を操作して任意の暗証番号を設定し、操作部３により施錠を行うための符号合わせ錠装置であり、図１、図２、図３に示すように、当該符号合わせ錠装置１と共に、例えばクレジットカード、定期券カード等のカードキーＣＫを差込口１２に差し込んでシリンダ錠１３の係合ピン１４の係止を解除させてラッチ１５を回動可能として成るカードキー式錠前装置１１を併置させ、前記操作部３とラッチ１５とを連繋部材４を介して連動可能に連結したものとして構成されている。
【００１５】
符号合わせ錠装置１は、オープン位置とロック位置との間を回動可能とした摘み式の操作部３と、例えば４桁の任意の暗証番号を設定できる４個のダイアル部材２と、ダイアル部材２によって設定された暗証番号が記憶される不図示の記憶部材と、操作部３によってダイアル部材２をゼロ復帰する不図示の復帰機構と、記憶部材の記憶を解除する不図示の解除機構等の公知の機構とから概ね構成されている。尚、操作部３にはマスターキーを差し込み可能な差込口３Ａを設けてある。
【００１６】
こうすることで、施錠時に、設定した暗証番号が記憶部材に記憶された状態でダイアル部材２の設定表示がすべてゼロに復帰し、解錠時には前記ダイアル部材２により暗証番号を設定し、操作部３で解錠操作をした際に前記ダイアル部材２の表示がすべてゼロに復帰すると共に、前記暗証番号が記憶される記憶部材の記憶が解除されるものとしてある。
【００１７】
図６に示すように、カードキー式錠前装置１１は、扉体Ｐ前面の取っ手近傍に配されたシリンダ錠１３に対向する扉体Ｐの反対面側に設けられている。すなわち、カードキー式錠前装置１１は、ケーシングカバーによって閉蓋されたケーシング１６内で、シリンダ錠１３のキーＫを廻すことによって回動可能としたラッチ１５が枢着され、当該ラッチ１５の片面側に突設した係合ピン１４を、ケーシング１６に開穿した円弧状のガイド溝孔１６Ａに係合させてある。
【００１８】
また、ラッチ１５の係合ピン１４と反対側に連結ピン２４が突設されている。そして、この連結ピン２４には、符号合わせ錠装置１の操作部３に一端が回動可能に枢着されたアーム状の連繋部材４の他端側が回動可能に枢着されている。さらに、ケーシング１６の縁部側にはシリンダ錠１３のラッチ１５およびカードキーＣＫが出入りできる差込口１２が形成されている。
【００１９】
ケーシング１６内には、係合ピン１４がガイド溝孔１６Ａに沿って下方側へ移動するのを阻止するための略Ｌ字状の係止部材１７が設けられている。すなわち、係止部材１７は、この先端部における係止プレート１７Ａ部分をガイド溝孔１６Ａの上部溝孔部分に進出させて係合ピン１４の下方への移動を阻止すべくバネ部材１８によって常時進出方向へ付勢させてある。
【００２０】
そして、係止部材１７の後端部においてＬ字状に折曲形成したストッパー部１７Ｂに、差込口１２から差し込まれたカードキーＣＫが係止されつつバネ部材１８の付勢力に抗して当該ストッパー部１７Ｂを押し込むことで、係止部材１７の係止プレート１７Ａ部分がガイド溝孔１６Ａ位置から後方側へ退避して係合ピン１４の係止が解除されることでラッチ１５は回動可能となるようにしてある。
【００２１】
一方、カードキー式錠前装置１１を使用せずに、キーＫを操作部３の差込口３Ａに差し込んでシリンダ錠１３の係合ピン１４の係止を解除させてラッチ１５を回動可能として成るシリンダ錠前装置を併置させても良い。
【００２２】
次に、上記構成の動作について説明すれば、物品をロッカー内へ収容して扉体Ｐを閉扉した後、符号合わせ錠装置１のダイアル部材２に、所望の符号、例えば４桁の数字をダイアル設定する。このとき、図４、図６（ａ）に示すように、符号合わせ錠装置１の操作部３をオープン位置からロック側に廻そうとしてもしても、カードキー式錠前装置１１におけるシリンダ錠１３のラッチ１５の係合ピン１４が、ガイド溝孔１６Ａ側に進出している係止部材１７によって係止されているため、連繋部材４を介してのラッチ１５の回動が阻止されている状態となり、当該ラッチ１５による施錠が不能な状態となる。
【００２３】
そして、図５、図６（ｂ）に示すように、カードキー式錠前装置１１の差込口１２にカードキーＣＫを挿入すると、シリンダ錠１３の係止部材１７がガイド溝孔１６Ａ位置から後方側へ退避して係合ピン１４の係止が解除されてラッチ１５は回動可能となる。こうしてシリンダ錠１３に挿入されたキーＫ自体を回動することによってラッチ１５が回動されるものとなって当該キーＫによる施錠が可能となる。尚、シリンダ錠１３へのキーＫの挿入によってラッチ１５自体が自由となっているため、符号合わせ錠装置１側の操作部３を廻すこともでき、これによって施錠することも可能となる。
【００２４】
解錠のときは、ダイアル部材２のダイアルの符号を元に戻し、シリンダ錠１３にキーＫを差し込み回動することでラッチ１５は引っ込み方向へ回動し、同時にカードキーＣＫの取り出しが可能となる。このとき符号合わせ錠装置１は、ダイアル部材２により符号をダイアルするとそのまま表面に残らず直ちに全てがゼロに表示される。
【図面の簡単な説明】
【００２５】
【図１】本発明を実施するための最良の形態における符号合わせ錠装置の施錠状態を示す正面図である。
【図２】同じく符号合わせ錠装置の施錠状態を示す背面図である。
【図３】同じく符号合わせ錠装置の施錠状態を示す側面図である。
【図４】同じくカードキー挿入前の符号合わせ錠装置の解錠状態を示す正面図である。
【図５】同じくカードキー挿入後の符号合わせ錠装置の施錠状態を示す正面図である。図である。
【図６】同じくカードキー式錠前装置の動作を説明するもので、（ａ）はカードキー挿入前の解錠状態を示す正面図、（ｂ）はカードキー挿入後の施錠状態を示す正面図である。
【符号の説明】
【００２６】
Ｐ      扉体
ＣＫ    カードキー
Ｋ      シリンダ錠のキー
１      符号合わせ錠装置
２      ダイアル部材
３      操作部
３Ａ    差込口
４      連繋部材
１１    カードキー式錠前装置
１２    差込口
１３    シリンダ錠
１４    係合ピン
１５    ラッチ
１６    ケーシング
１６Ａ  ガイド溝孔
１７    係止部材
１７Ａ  係止プレート
１７Ｂ  ストッパー部
１８    バネ部材
２４    連結ピン
【図１】
2006118188.tif 000003
【図２】
2006118188.tif 000004
【図３】
2006118188.tif 000005
【図４】
2006118188.tif 000006
【図５】
2006118188.tif 000007
【図６】
2006118188.tif 000008